(57)【要約】【課題】電源制御装置に関し、パワーコンディショナによる融雪動作を無駄な電力消費なく円滑に開始することができる。【解決手段】複数の太陽電池ストリングの発電出力を交流変換する通常の制御機能と、系統電源を処理して前記太陽電池に発熱電流を供給して融雪するための制御機能とを備えたパワーコンディショナ２１と、各太陽電池ストリングそれぞれの発電電流を個別に検出する電流センサ１２と、各太陽電池ストリングそれぞれとパワーコンディショナ２１との間に設けられた複数の開閉器１４と、各電流センサ１２それぞれの出力状態から各太陽電池ストリングそれぞれの発電量を演算し、かつ該演算した発電量に基づいていずれの太陽電池ストリングが積雪有りか否かを判定し、積雪有りと判定した太陽電池ストリングに対応する開閉器１４を閉じるよう制御するマイクロコンピュータ手段１５とを有している。【選択図】図１０
2006157048.tif 000002
【特許請求の範囲】
【請求項１】
複数の太陽電池ストリングの発電出力を交流変換する通常の制御機能と、系統電源を処理して前記太陽電池に発熱電流を供給して融雪するための制御機能とを備えたパワーコンディショナと、
前記各太陽電池ストリングそれぞれの発電電流を個別に検出する発電電流検出手段と、
前記各太陽電池ストリングそれぞれと前記パワーコンディショナとの間に設けられた複数の開閉器と、
前記各発電電流検出手段それぞれの出力状態から前記各太陽電池ストリングそれぞれの発電量を演算し、かつ該演算した発電量に基づいていずれの太陽電池ストリングが積雪有りか否かを判定し、積雪有りと判定した太陽電池ストリングに対応する前記開閉器を閉じるよう制御するマイクロコンピュータ手段と、
を有していることを特徴とする電源制御装置。
【発明の詳細な説明】
【技術分野】
【０００１】
本発明は、太陽電池上の雪あるいは氷を融かすための電源を制御する機能を備えた電源制御装置に関する。
【背景技術】
【０００２】
太陽光発電システムには、太陽電池と、電源制御装置とを有し、この電源制御装置を前記太陽電池の発電出力を交流変換する通常の制御機能と、系統電源を処理して前記太陽電池に発熱電流を供給して融雪するための制御機能とを備えたパワーコンディショナで構成したものがある。このパワーコンディショナは、一般に、ＤＣ／ＤＣコンバータと、平滑コンデンサと、インバータと、マイクロコンピュータ内蔵制御装置と、系統側開閉器とを少なくとも備えている。このようなシステムにおいては、制御装置内のマイクロコンピュータ制御のもと、太陽電池の発電出力を、ＤＣ／ＤＣコンバータで昇圧し、平滑コンデンサで平滑化し、インバータで交流電力に変換して負荷に供給し、この供給電力が余る場合には、系統側開閉器に接続されている系統電源にその余った電力を逆潮流させ、また、夜間とか雨天などで太陽電池の発電が無いか不足して前記負荷に供給する交流電力が不足するときは、系統電源を負荷に接続することで系統電源の電力を供給できるようにしている。そして、太陽電池上の積雪あるいは氷によって日照が遮られている場合では、その雪とか氷を融かす（このことを融雪するという）ために例えば、系統側開閉器をＯＮにして系統電源をパワーコンディショナに接続し、このパワーコンディショナでは、前記インバータ回路を全波整流回路として機能させることで、系統側開閉器に接続されている系統電源からの出力を全波整流し、その全波整流出力を平滑コンデンサで平滑し、ＤＣ／ＤＣコンバータを降圧回路として機能させることで前記平滑出力を降圧し、その降圧処理した出力により太陽電池を発熱させ、この発熱を利用して前記太陽電池上の積雪を融雪させるようにしたものがある。
【発明の開示】
【発明が解決しようとする課題】
【０００３】
こうした従来の電源制御装置においては、太陽電池に積雪が開始されて時間が経過し、そのため、晴天であって太陽電池の発電出力があるはずなのに、融雪動作の開始に際して、既に太陽電池の発電出力が大きく低下しているか、あるいは全く無くなっている場合がある。このような場合では、パワーコンディショナは融雪動作を開始させようとすると、内部のコンデンサが無充電状態となっていて、融雪動作の開始に伴う大きな充電電流が系統側開閉器を介してそのコンデンサに流れ込んでくる結果、その系統側開閉器が損傷したり、あるいは、パワーコンディショナそのものがそのコンデンサが無充電であるために電源を得られず、動作できなかったりする。また、このようなことは、その融雪動作の開始のタイミングも不明であるために発生するものであるから、早期にその開始のタイミングが分かれば、太陽電池の発電出力が大きく低下する前に、融雪動作を開始できるので、系統側開閉器の前記損傷とか、パワーコンディショナの不動作といったことを回避できる。さらに、融雪動作が円滑でないと電力が無駄に消費される。
【０００４】
そこで、本発明においては、電力消費が無駄に消費されずに円滑に融雪動作を開始できるようにすることを主たる解決すべき共通の課題としている。
【０００５】
本発明の解決すべき他の課題は後述の記載から明らかとされる。
【課題を解決するための手段】
【０００６】
本発明の電源制御装置は、複数の太陽電池ストリングの発電出力を交流変換する通常の制御機能と、系統電源を処理して前記太陽電池に発熱電流を供給して融雪するための制御機能とを備えたパワーコンディショナと、前記各太陽電池ストリングそれぞれの発電電流を個別に検出する発電電流検出手段と、前記各太陽電池ストリングそれぞれと前記パワーコンディショナとの間に設けられた複数の開閉器と、前記各発電電流検出手段それぞれの出力状態から前記各太陽電池ストリングそれぞれの発電量を演算し、かつ該演算した発電量に基づいていずれの太陽電池ストリングが積雪有りか否かを判定し、積雪有りと判定した太陽電池ストリングに対応する前記開閉器を閉じるよう制御するマイクロコンピュータ手段とを有していることを特徴とする。
【０００７】
なお、ここで融雪とは太陽電池上への降雪により積もった雪を融かすことのみならず、降雨などで太陽電池上が凍結してできた氷とかを融かすことも含むものである。
【発明の効果】
【０００８】
本発明によれば、パワーコンディショナによる融雪動作を無駄な電力消費なく円滑に開始することができる。
【発明を実施するための最良の形態】
【０００９】
以下、本発明の実施の形態に係る電源制御装置についてこれを組み込んだ太陽光発電システムに適用して図面を参照して詳細に説明する。
【００１０】
（実施の形態１）
本発明の実施の形態１に従う電源制御装置においては、太陽電池の発電出力を交流変換する通常の制御機能と、系統電源を処理して前記太陽電池に発熱電流を供給して融雪するための制御機能とを備えたパワーコンディショナと、前記パワーコンディショナが融雪制御を開始するに際し該パワーコンディショナ内のコンデンサに充電電流を供給する充電電流供給手段とを有していることによって、パワーコンディショナが円滑に融雪動作を開始できるようにしている。
【００１１】
以下、図１ないし図３を参照して本発明の実施の形態１について説明する。図１は電源制御装置が組み込まれた太陽光発電システムの回路ブロック図であり、図２は図１の前記電源制御装置内のパワーコンディショナの詳細回路図であり、図３は前記電源制御装置内のＡＣ／ＤＣコンバータの詳細回路図である。
【００１２】
図１を参照して、１は太陽電池であり、２は実施の形態１の電源制御装置である。この電源制御装置２は、太陽電池１と系統電源３との間に接続されて通常動作指令入力により通常の動作制御を行い、融雪動作指令入力により融雪の動作制御を行うパワーコンディショナ２１と、交流から直流への変換をするＡＣ／ＤＣコンバータ２２とで構成されている。系統電源３は、パワーコンディショナ用の第１系統電源３ａと、ＡＣ／ＤＣコンバータ２２用の第２系統電源３ｂとから構成されている。
【００１３】
図２を参照して、パワーコンディショナ２１は、第１フィルタ２ａ、第１平滑コンデンサＣ３、ＤＣ／ＤＣコンバータ２ｂ、第２平滑コンデンサＣ４、インバータ２ｃ、第２フィルタ２ｄ、系統側開閉器２ｅおよび第１制御装置２ｆを備えている。第１制御装置２ｆに通常動作指令入力があると、第１制御装置２ｆは通常動作の制御を行う。この場合、第１制御装置２ｆにより、ＤＣ／ＤＣコンバータ２ｂ内のトランジスタＴＲ２はＯＦＦにされ、トランジスタＴＲ１はスイッチング駆動、インバータ２ｃ内の各トランジスタＴＲ３〜ＴＲ６はスイッチング駆動されるとともに、系統側開閉器２ｅが必要に応じＯＮまたはＯＦＦに駆動される。そして、太陽電池１の発電出力は、第１フィルタ２ａを介し、第１平滑コンデンサＣ３で平滑化された後、ＤＣ／ＤＣコンバータ２ｂ内のトランジスタＴＲ１のスイッチング動作によって、昇圧される。昇圧された太陽電池１の発電出力は、第２平滑コンデンサＣ４で平滑化されて、インバータ２ｃに入力され、このインバータ２ｃにより、交流に変換される。交流に変換された太陽電池１の発電出力は、第２フィルタ２ｄで正弦波にされて、不図示の負荷に供給されたり、あるいは、系統側開閉器２ｅを介し、第１系統電源３ａ側に逆潮流される。この場合、第１制御装置２ｆは、太陽電池１の発電出力とインバータ２ｃ出力とを監視し、所要の制御動作を行うようになっている。
【００１４】
第１制御装置２ｆに融雪指令入力があると、融雪動作の制御を行う。この場合、第１制御装置２ｆにより、ＤＣ／ＤＣコンバータ２ｂ内のトランジスタＴＲ２がスイッチング駆動され、トランジスタＴＲ１がＯＦＦにされ、インバータ２ｃ内の各トランジスタＴＲ３〜ＴＲ６はＯＦＦ（ダイオードブリッジを構成するため）あるいはスイッチング駆動（昇圧のため）されるとともに、系統側開閉器２ｅがＯＮに駆動される。こうして、第１系統電源３ａが、系統側開閉器２ｅおよび第２フィルタ２ｄを介し、インバータ２ｃに入力される。インバータ２ｃ内の各トランジスタＴＲ３〜ＴＲ６それぞれはＯＦＦのとき、各トランジスタＴＲ３〜ＴＲ６それぞれに並列のダイオードＤ３〜Ｄ６で第１系統電源３ａの出力は全波整流され、または各トランジスタＴＲ３〜ＴＲ６がスイッチング駆動し、この後、第２平滑コンデンサで平滑化される。この平滑化された融雪用電源出力は、ＤＣ／ＤＣコンバータ２ｂ内のトランジスタＴＲ２のスイッチング動作で降圧される。降圧された第１系統電源３ａ出力は、第１平滑コンデンサＣ３および第１フィルタ２ａを介し、太陽電池１に与えられる。太陽電池１は第１系統電源３ａ出力によって発熱し発熱体として融雪する。
【００１５】
次に、ＡＣ／ＤＣコンバータ２２は、パワーコンディショナ２１が融雪制御を開始するに際し該パワーコンディショナ２１内のコンデンサＣ４に充電電流を供給する充電電流供給手段として、第２系統電源３ｂを交流／直流変換しかつ昇降圧してパワーコンディショナ２１に入力する。
【００１６】
図３を参照して、このＡＣ／ＤＣコンバータ２２は、コンデンサＣ６，Ｃ７、ダイオードＤ７、トランジスタＴＲ７、コイルＬ６、全波整流回路２ｇ、トランスＴＳおよびマイクロコンピュータ内蔵の第２制御装置２ｈで構成されている。第２制御装置２ｈは、融雪動作の開始時に、第２系統電源３ｂ出力をトランスＴＳを介して全波整流回路２ｇで全波整流し、平滑コンデンサＣ７で平滑して直流に変換するとともに、トランジスタＴＲ７をスイッチング制御して、昇圧したうえで、上述の各回路素子Ｃ６，Ｄ７，Ｌ６を介して、パワーコンディショナ２１に入力させることで、パワーコンディショナ２１内のコンデンサＣ４に充電電流を供給する。
【００１７】
すなわち、融雪動作の開始時には、太陽電池１の発電出力がゼロであるために、コンデンサＣ４は無充電状態となっている。このような無充電状態では融雪動作の開始によって系統側開閉器２ｅを介してコンデンサＣ４には大きな充電電流が流れて、上述のように系統側開閉器２ｅの損傷を招く。そこで、ＡＣ／ＤＣコンバータ２２は、その融雪動作の開始に際し、そのコンデンサＣ４への充電電流を供給して該コンデンサＣ４を充電させておく。これによって、パワーコンディショナ２１が融雪動作するに際しては、既にコンデンサＣ４は充電されているので、系統側開閉器２ｅには大きな充電電流が流れることがなくなる。ここでＡＣ／ＤＣコンバータ２２内の第２制御装置２ｈに対する電源は図示を省略されている。
【００１８】
なお、ＡＣ／ＤＣコンバータ２２は、パワーコンディショナ２１内のコンデンサＣ４に充電電流を供給することにより該パワーコンディショナ２１に起動電圧を付与する起動電圧付与回路としても機能することができる。これは、太陽電池１が積雪のために発電出力が無いと、パワーコンディショナ２１は融雪動作の開始ができない。そこで、融雪動作の開始に際してはそのパワーコンディショナ２１に電源を供給する。
【００１９】
なお、ＡＣ／ＤＣコンバータ２２は、パワーコンディショナ２１に前記充電電流を供給するのではなく、太陽電池１に直接、融雪のための発熱電流を供給する発熱電流供給回路として機能させても構わない。この場合、ＡＣ／ＤＣコンバータ２２内の第２制御装置２ｈにおいては、トランジスタＴＲ７のスイッチング動作を制御して、第２系統電源３ｂの出力を昇降圧させるとよい。
【００２０】
このようにして  実施の形態１においては、融雪の開始に際しては、太陽電池１の発電出力がゼロであっても、その開始を円滑に行わせることができる。
【００２１】
（実施の形態２）
本発明の実施の形態２に従う電源制御装置は、積雪状態検出手段と、太陽電池の発電出力を交流変換する通常の制御機能と、系統電源を処理して前記太陽電池に発熱電流を供給して融雪するための制御機能とを備え、かつ、前記積雪状態検出手段の出力により少なくとも融雪動作開始のための制御を行うパワーコンディショナを含む電源制御装置本体とを有したことにより、融雪の開始に際しては太陽電池の発電出力がゼロであってもその開始を円滑に行わせることができる。
【００２２】
以下、図４を参照して本発明の実施の形態２に従う電源制御装置についてこれを太陽光発電システムに組み込んだ状態で説明する。なお、図４において実施の形態１に係る図１に示される部分と対応する部分には同一の符号を付すとともに、同一の符号に係る部分についての詳しい説明は省略する。なお、図４で示される電源制御装置本体２ａは図１ないし図３で示されるパワーコンディショナ２１とＡＣ／ＤＣコンバータ２２とを備えている。
【００２３】
図４で示される実施の形態２においては、積雪状態検出手段として、太陽電池１の表面温度を検出する温度センサ４を備えている。この温度センサ４は、電源制御装置本体２ａ内のパワーコンディショナ２１の第１制御装置２ｆとＡＣ／ＤＣコンバータ２２の第２制御装置２ｈとにそれぞれ接続されている。各制御装置２ｆ，２ｈそれぞれは温度センサ４の出力信号を演算し、その演算により第１制御装置２ｆにおいては、太陽電池１の温度が設定値以上であるときは融雪動作を停止させ、設定値未満のときは融雪動作を開始するように制御し、第２制御装置２ｈにおいては、設定値未満のときはパワーコンディショナ２１のコンデンサＣ４に充電電流を供給するように動作を開始する。すなわち、パワーコンディショナ２１では、太陽電池１の温度が設定値以上のときは、融雪動作を停止させて積雪が自然に解けるのを待ち、設定値未満のときは融雪動作を行わせる一方、ＡＣ／ＤＣコンバータ２２では、太陽電池１の温度が設定値未満になると、パワーコンディショナ２１のコンデンサＣ４に充電電流を供給する。この場合、パワーコンディショナ２１の第１制御装置２ｆとＡＣ／ＤＣコンバータ２２の第２制御装置２ｈは互いに連係し、前記コンデンサＣ４の充電が所要値に完了してから、融雪動作を開始するようになっている。なお、図４では第１および第２系統電源３ａ，３ｂは単に融雪用電源（以下、同じ）として示され、また、太陽電池１と電源制御装置本体２ａとは融雪用配線で接続されている状態で示されている。
【００２４】
以上のように実施の形態２によれば、温度センサ４の出力信号により、太陽電池１の温度が所定温度以上のときは、太陽電池１上の積雪が自然に解けるために、融雪動作を停止させることができ、これによって、融雪動用電源である系統電源３の無駄な消費が減り電気料金の低減に寄与することができる。
【００２５】
なお、上述の温度センサ４は、太陽電池１の表面温度を検出したが、表面温度ではなく、外気温度を検出し、これによって、上述の動作を行うようにしても構わない。
【００２６】
（実施の形態３）
本発明の実施の形態３においては、上述の実施の形態２での積雪状態検出手段が温度センサ４であったのを、温度センサ４ではなく、例えば図５で示すように、電柱５に配備されている照明灯６を積雪状態検出手段としている。すなわち、まず、昼間であれば、照明灯６が無くても、太陽光により太陽電池１の発電の有無とか発電出力の減少を判定し、その判定から融雪状態を検出できる。しかしながら、夜間では太陽光が無いから、そのような判定はできない。そこで、実施の形態３においては、夜間の場合、照明灯６を点灯させることによって太陽電池１上を照明し、この照明灯６の出力を電源制御装置本体２ａに入力する。そうすると、電源制御装置本体２ａ内においては、太陽電池１上に積雪が無ければ、その照明灯６の照明光により太陽電池１が発電することで、積雪が無いと判定でき、また、積雪があれば、照明灯６の照明光があっても太陽電池１は発電できないから、積雪有りと判定できる。この場合、照明灯６を夜間になると自動点灯させられれば、便利であるから、まず、電源制御装置本体２ａにおいては、積雪の有無にかかわらず、太陽電池１が発電しないときは、夜間であると判定して、照明灯６を点灯させ、この照明灯６の点灯でも太陽電池１が発電しないときは積雪有り、発電するときは積雪無しと判定できるようし、この判定に従って融雪の制御を行うと、利用者にとっては、昼間、夜間を問わず自動的に融雪が開始されて便利となる。
【００２７】
（実施の形態４）
本発明の実施の形態４においては、上述の実施の形態２での積雪状態検出手段が温度センサ４であったのを、温度センサ４ではなく、例えば図６で示すように、太陽電池１の近くに配備されている照度計７を積雪状態検出手段としている。すなわち、実施の形態４においては、照度計７の出力から太陽電池１に対する日照量を計測し、この日照量計測値と太陽電池１の発電量との差から、太陽電池１上の積雪の有無を判定し、積雪有りと判定すると融雪動作を開始させる。これによって、利用者にとっては、融雪動作が自動的に開始されるから便利となる。
【００２８】
（実施の形態５）
本発明の実施の形態５においては、上述の実施の形態２での積雪状態検出手段が温度センサ４であったのを、温度センサ４ではなく、例えば図７で示すように、太陽電池１の両側に相対向配備されている一対の光センサを積雪状態検出手段としている。すなわち、実施の形態５においては、一方の光センサを発光体８Ａ、他方の光センサを受光体８Ｂとし、太陽電池１上に積雪が有ると、発光体８Ａからの発光は積雪で遮蔽されて受光体８Ｂで受光されないから受光体８Ｂの出力レベルは低下する。また、太陽電池１上に積雪が無ければ、発光体８Ａからの発光は積雪で遮蔽されないから受光体８Ｂで受光されるから受光体８Ｂの出力レベルは大きくなる。電源制御装置本体２ａは、受光体８Ｂからの出力を入力し、受光体８Ｂの出力レベルから積雪の有無を判定し、積雪有りと判定するときは融雪動作を開始し、積雪無しと判定するときは融雪動作を停止する。これによって、利用者にとっては、融雪動作が自動的に開始されるから便利となる。
【００２９】
なお、このような光センサは、赤外線センサとか、その他のセンサがあるが、さらに、遮蔽物の有無を検出できるセンサであればよい。また、この実施の形態５ではセンサの出力が無くなると太陽電池１上の雪が融雪されてしまうとただちに融雪動作を停止させるのではなく、一定時間融雪動作を継続させるようにしても構わない。また、夜間の場合では、前記実施の形態との組み合わせて、融雪動作による無駄な電力消費を低減可能としても構わないことは勿論である。
【００３０】
（実施の形態６）
本発明の実施の形態６においては、上述の実施の形態２での積雪状態検出手段が温度センサ４であったのを、温度センサ４ではなく、例えば図８で示すように、天気予報情報提供先９と電源制御装置本体２ａとを電話回線で接続するとともに、その提供先９からの天気予報を積雪状態検出手段としている。
【００３１】
その天気予報では降雪状態とか積雪状態とかの情報が含まれるので、太陽電池１上の積雪状態が判定できる。この場合、提供先９からの情報が電源制御装置本体２ａが処理可能な形態にデータが加工されていれば、電源制御装置本体２ａは自動的に融雪動作を開始させることができるし、加工されていない場合では電源制御装置本体２ａ内で情報を処理できるようにすることで融雪動作を自動的に開始させることができる。あるいは利用者がその情報を元にして電源制御装置本体２ａを起動させるようにするとよい。
【００３２】
（実施の形態７）
本発明の実施の形態７においては、上述の実施の形態２での積雪状態検出手段が温度センサ４であったのを、温度センサ４ではなく、例えば図９で示すように、温度計１０と、気圧計１１とを積雪状態検出手段としている。
【００３３】
この実施の形態７においては、温度計１０による外気温度、気圧計１１により気圧を電源制御装置本体２ａに入力させる。電源制御装置本体２ａにおいては、外気温度と気圧とから降雪を予想判定し、降雪有りと予想判定するときは太陽電池１上に積雪されるのを回避するように融雪動作を開始させる。したがって、実施の形態７によれば、降雪のときにのみ融雪動作するから、無駄な電力消費で低減可能となり、かつ、融雪動作を自動的に開始させることができる。
【００３４】
（実施の形態８）
本発明の実施の形態８に係る電源制御装置は、数の太陽電池ストリングの発電出力を交流変換する通常の制御機能と、系統電源を処理して前記太陽電池に発熱電流を供給して融雪するための制御機能とを備えたパワーコンディショナと、前記各太陽電池ストリングそれぞれの発電電流を個別に検出する発電電流検出手段と、前記各太陽電池ストリングそれぞれと前記パワーコンディショナとの間に設けられた複数の開閉器と、前記各発電電流検出手段それぞれの出力状態から前記各太陽電池ストリングそれぞれの発電量を演算し、かつ該演算した発電量に基づいていずれの太陽電池ストリングが積雪有りか否かを判定し、積雪有りと判定した太陽電池ストリングに対応する前記開閉器を閉じるよう制御するマイクロコンピュータ手段とを有したものであり、積雪の有る太陽電池ストリングに対してのみ融雪動作を開始することで、無駄な電力消費を低減可能としている。
【００３５】
以下、図１０を参照して本発明の実施の形態８に係る電源制御装置を備えた太陽光発電システムについて説明すると、１は太陽電池、２は実施の形態８に従う電源制御装置である。太陽電池１は、複数の太陽電池ストリング１ａ，１ｂ，１ｃから構成されている。電源制御装置２は、パワーコンディショナ２１と、発電電流検出手段として前記各太陽電池ストリング１ａ，１ｂ，１ｃそれぞれに個別に対応した電流センサ１２ａ．１２ｂ．１２ｃと、同じく前記各太陽電池ストリング１ａ，１ｂ，１ｃそれぞれに個別に対応して逆流防止ダイオード１３ａ，１３ｂ，１３ｃそれぞれに並列に接続された開閉器１４ａ，１４ｂ，１４ｃと、マイクロコンピュータ手段１５とを有して構成されている。そして、マイクロコンピュータ手段１５は、各電流センサ１２ａ，１２ｂ，１２ｃそれぞれの出力状態から各太陽電池ストリング１ａ，１ｂ，１ｃそれぞれの発電量を演算し、かつ該演算した発電量から、いずれの太陽電池ストリング１ａ，１ｂ，１ｃに積雪があるか否かを判定する。そして、この判定から積雪有りと判定された太陽電池ストリング１ａ，１ｂ，１ｃに対応する開閉器１４ａ，１４ｂ，１４ｃを閉じるよう制御するとともに、パワーコンディショナ２１に対して融雪指令を入力するようになっている。なお、１４ａ，１４ｂ，１４ｃは開閉器であったが、スイッチング素子でも構わない。
【００３６】
この場合、太陽電池ストリング１ａ，１ｂ，１ｃには積雪で発電無しとなる場合以外にも木陰などでも発電無しとなるから、両者を区別する必要がある。この場合、実施の形態８においては、定期的例えば毎日の発電量をデータ記録しておき、晴天時で毎日の特定の時間帯になると発電量の低下態様が周期的に同じように発生する場合は例えば木陰であると判定し、不特定に発電量が低下する場合は木陰とは区別される積雪であると判定し、積雪と判定した場合にだけ融雪動作を開始させる。
【００３７】
以上のように実施の形態８によれば、太陽電池ストリング１ａ，１ｂ，１ｃのすべてに対して融雪動作する必要がなくなり、積雪されている特定の太陽電池ストリングに対してのみ融雪動作するから、電力が無駄に消費されずに済むという利点がある。
【図面の簡単な説明】
【００３８】
【図１】本発明の実施形態１に係る電源制御装置が組み込まれた太陽光発電システムの回路ブロック図
【図２】図１の電源制御装置内のパワーコンディショナの詳細回路図
【図３】図１の電源制御装置内のＡＣ／ＤＣコンバータの詳細回路図
【図４】本発明の実施の形態２に係る電源制御装置が組み込まれた太陽光発電システムの回路ブロック図
【図５】本発明の実施の形態３に係る電源制御装置が組み込まれた太陽光発電システムの回路ブロック図
【図６】本発明の実施の形態４に係る電源制御装置が組み込まれた太陽光発電システムの回路ブロック図
【図７】本発明の実施の形態５に係る電源制御装置が組み込まれた太陽光発電システムの回路ブロック図
【図８】本発明の実施の形態６に係る電源制御装置が組み込まれた太陽光発電システムの回路ブロック図
【図９】本発明の実施の形態７に係る電源制御装置が組み込まれた太陽光発電システムの回路ブロック図
【図１０】本発明の実施の形態８に係る電源制御装置が組み込まれた太陽光発電システムの回路ブロック図
【符号の説明】
【００３９】
１  太陽電池
２  電源制御装置
２ａ  電源制御装置本体
３  系統電源
１２  電流センサ（発電電流検出手段）
１４  開閉器
１５  マイクロコンピュータ手段
２１  パワーコンディショナ
２２  ＡＣ／ＤＣコンバータ
【図１】
2006157048.tif 000003
【図２】
2006157048.tif 000004
【図３】
2006157048.tif 000005
【図４】
2006157048.tif 000006
【図５】
2006157048.tif 000007
【図６】
2006157048.tif 000008
【図７】
2006157048.tif 000009
【図８】
2006157048.tif 000010
【図９】
2006157048.tif 000011
【図１０】
2006157048.tif 000012